(57)【要約】【課題】特に画像退避サーバーやその機能など意識せずに、かつ画像入力装置に画像データを一時退避するバッファが無い場合でも、何らかの影響でネットワークの転送が遅くなっても画像喪失をする事無く確実に画像データを転送する事ができる。【解決手段】放射線画像を検出する検出手段を備え、検出した放射線画像に基づいて、画像情報を入力するようにした画像入力装置であって、画像入力装置と画像確認のための画像表示部が分離されていて、ネットワーク接続されているシステムにおいて、画像データを一時退避する画像サーバを同一ネットワーク内に立て、画像表示部側が当該画像データの取り込みを行えない場合に、画像入力装置から一時画像データを画像サーバに退避する。【選択図】図１
2005103025.tif 000002
【特許請求の範囲】
【請求項１】
放射線画像を検出する検出手段を備え、前記検出した放射線画像に基づいて、画像情報を入力するようにした画像入力装置であって、画像入力装置と画像確認のための画像表示部が分離されていて、ネットワーク接続されているシステムにおいて、
画像データを一時退避する画像サーバを同一ネットワーク内に立て、画像表示部側が当該画像データの取り込みを行えない場合に、前記画像入力装置から一時画像データを前記画像サーバに退避することを特徴とする放射線画像システム。    
【請求項２】
請求項１の放射線画像システムにおいて、
画像表示部が当該画像データの前の画像データの取り込み中と判断する仕組みを設け、前画像データの取り込み中と判断した場合に、画像入力装置から一時画像データを画像サーバに退避することを特徴とする放射線画像システム。
【請求項３】
請求項１の放射線画像システムにおいて、
複数ある画像入力装置から、ある任意の画像表示部に画像データを、ネットワークを介して送信するシステムにおいて、
ある任意の画像表示部に対して、所定の画像入力装置から画像表示部に画像データを転送中に、他の画像入力装置も放射線画像の読取動作を行い、画像データを所定の画像入力装置と同一の画像表示部に送信する時に、所定の画像入力装置から画像データを転送中であることを判断し、画像データを一時退避する画像サーバに画像データを一時退避することを特徴とする放射線画像システム。
【請求項４】
請求項１、２、３のいずれかの放射線画像システムにおいて、  大容量画像データとして５０ＭＢを超える画像データを画像入力装置から画像表示部に対して転送するシステムにおいて、連続して大容量画像データを転送する場合に、画像サーバに一時画像データを退避することを特徴とする放射線画像システム。
【請求項５】
請求項１，２，３，４のいずれかの放射線画像システムにおいて、
一時退避した画像データを画像表示部に転送することを特徴とする放射線画像システム。
【請求項６】
請求項５の放射線画像システムにおいて、
画像表示部側の画像データの取り込み処理や、画像データの画像処理などの動作が終了し、画像表示部側が、次の画像データを受取できる事が可能になった事を判断する仕組みを設け、一時退避した画像データを画像表示部に転送することを特徴とする放射線画像システム。
【請求項７】
請求項６の放射線画像システムにおいて、
画像表示部側が次の画像データを受取できる事が可能であり、
画像データの取り込み作業が終了したことを画像サーバに通知する仕組みを設け、その通知により一時退避した画像データを随時画像表示部側に転送することを特徴とする放射線画像システム。
【請求項８】
請求項１の放射線画像システムにおいて、
複数の画像入力装置と複数の画像表示部を持つシステムで、ある任意の画像入力装置で読み取った画像データを、ある任意の画像表示部に転送するように対応付けを行うために、この対応付けをコントロールする機能を持つ放射線画像システムにおいて、
この対応付けをコントロールする機能の情報を参照し、ある任意の画像表示部に画像データを転送する前に、他の画像入力装置が画像転送中である事が判定できた時に、画像サーバに一時画像データを退避することを特徴とする放射線画像システム。
【請求項９】
請求項５の放射線画像システムにおいて、
一時退避した画像データを画像表示部に転送した際に、退避した画像サーバから該当画像を消去することを特徴とする放射線画像システム。
【発明の詳細な説明】
【技術分野】
【０００１】
この発明は、主に医療分野で使用される放射線画像情報を入力するための画像入力装置及び画像表示部を持つ放射線画像システムに関するものである。
【背景技術】
【０００２】
病気診断等のために放射線発生装置から被写体に放射線を照射し、被写体を透過した放射線による放射線画像を読み取り画像情報を入力するようにした画像入力装置が公知である。かかる画像入力装置には、放射線画像情報を蓄積した輝尽性蛍光体プレートにレーザー光を走査して発生した輝尽光を集光しフォトマルチプライヤ（以下ＰＭＴという場合がある）で光電変換して電気信号に変えるシステム（ＣＲタイプ）、及び、被写体を通過して照射されるＸ線エネルギーをＸ線透過画像として再構成するための電気信号に変換する機能を有し画像診断のために必要な人体の部分を十分に覆う面積の平面をもつ平板状のＸ線画像平面検出器（Ｘ線フラットパネルディテクタ）から構成したシステム（ＦＰＤタイプ）がある。
【０００３】
例えばＣＲタイプの画像入力装置において、読取り部と画像表示するコンソール部の基本構成に関するシステムが特開平１０−２７４８２１号公報で、読取り部とコンソール部を分け、ネット接続し自由度を持たせたシステムが特開２００２−１５９４７６号公報で提案されている。
【０００４】
更に画像データを一時保管するシステムの提案として、特開平７−７３２０１号公報にサーバ自身の記憶容量が無くなった場合、外部記憶装置に保存し、当該サーバのデータを消去する等の、画像退避システムの提案がある。
また特開平６−１２３５７号公報にて、処理能力を超えた画像データを、一旦別サーバに転送し一時管理するシステムの提案がある。
【特許文献１】特開平１０−２７４８２１号公報
【特許文献２】特開２００２−１５９４７６号公報
【特許文献３】特開平７−７３２０１号公報
【特許文献４】特開平６−１２３５７号公報
【発明の開示】
【発明が解決しようとする課題】
【０００５】
ところで、画像入力装置から画像表示部への画像転送については、特に画像退避などの考えは記載していない。不具合が生じた時に、画像入力装置から画像表示部に当該画像データを再送信する仕組みを設けないと、この場合画像喪失の状態に陥る。また、この画像再送信する仕組みは、画像入力装置自体、画像保存できる場合を想定しているため、コスト削減などで画像データを保存できない画像入力装置の場合、受けて（ここでは画像表示部）が１００％画像データを受け取る必要がある。画像入力装置を含む放射線画像システムにおいて、画像を受け取れない場合に退避する。
【課題を解決するための手段】
【０００６】
このような目的を達成するために、この発明は、基本的には、画像入力装置から画像表示部、例えば画像表示用コンソールに対して画像転送を行う放射線画像システムにおいて、画像入力装置に読取した画像データを記憶する手段が無い、もしくは少ない事による画像データの記憶領域を、上書き処理する装置ついては、その限られた記憶する手段の記憶領域が上書きされたにように、画像を読取、１回記憶領域に退避した内容が、リングバッファ形式などで、同一メモリに対して２回目のアクセスにより、上書きされる前に、ネットワーク上の画像表示部にデータ転送されていることが必要がある。外部出力、ここではネットワーク出力だが、その転送時間を、画像の読取時間以上にするなどの高速化が必要である。よって画像表示用コンソールが、既に他の画像入力装置からデータ受け取り中、もしくは画像表示用コンソールが何かしらの処理により画像入力装置から画像データを受け取るには、十分な速度で対応できない場合に、画像サーバに一時退避する手段を設けて、画像データの喪失をなくす事を特徴とする放射線画像システムである。
【０００７】
画像表示部、画像表示用コンソールが画像データを取り込むために、画像入力装置から送られる転送速度に対して十分な速度を達成できないと判断する方法として、既に別の画像入力装置から画像転送中である事を知る仕組みを構築すれば良い。
【発明の効果】
【０００８】
前記構成により、この発明は、特に画像退避サーバやその機能など意識せずに、かつ画像入力装置に画像データを一時退避するバッファが無い場合でも、何らかの影響でネットワークの転送が遅くなっても画像喪失をする事無く確実に画像データを転送する事ができる。
【発明を実施するための最良の形態】
【０００９】
以下、この発明の放射線画像システムの実施の形態について説明するが、この発明は、この実施の形態に限定されない。また、この発明の実施の形態は、発明の最も好ましい形態を示すものであり、この発明の用語はこれに限定されない。  図１は放射線画像システムの概略構成図である。この実施の形態の放射線画像システムは、イーサーネットに、画像表示用コンソール１〜３、画像入力装置４，５、コントロールサーバ６、画像サーバ７が接続されている。
【００１０】
予め画像表示用コンソール１〜３の１つに読取する放射線画像変換パネルの個体情報、例えばバーコードデータを読み込ませる。その放射線画像変換パネルＡのバーコードデータは、情報のコントロールサーバ６に送られ、バーコードデータが、コントロールサーバ６上のテーブル、画像表示用コンソール１のデータとして登録される。ここでいずれか（ここでは４，５のいずれか）の画像入力装置で、この放射線画像変換パネルＡが読み取られた場合、画像入力装置はこの放射線画像変換パネルＡのバーコードデータをキーにして、このコントロールサーバ６のデータベースにアクセスし、読み取った画像をどの画像表示用コンソール１〜３に転送するかを知ることが出来、ここでは画像表示用コンソール１に画像データを転送させる。
【００１１】
この場合、現在読み取り中などの動作状況に関しても、このコントロールサーバ６に情報保存する事が可能なため、情報保存する。ここで例えば放射線画像変換パネルＡを画像入力装置４に投入し、画像読取と画像データ転送を行わせ、コントロールサーバ６に現在画像入力装置４は画像読取中で、画像表示用コンソール１についても、画像データ取り込み中との情報を保存する。この時に画像表示用コンソール１に上記とは別の放射線画像変換パネルＢを登録し、画像入力装置５を使用して画像読取と画像データを合わせる時に、コントロールサーバ６を見る事によって、現在画像データ転送中で、画像表示用コンソール１はビジー状態と知る事ができる。その時に放射線画像変換パネルＢの画像データ、ここでは画像入力装置５からの画像データを、画像表示用コンソール１に転送せずに、画像サーバ７に画像データを転送させる。これにより、画像表示用コンソール１が画像入力装置４から画像を受け取れない状況下にいても、画像入力装置５は画像読取動作を行い、画像データを喪失する事なく画像サーバ７にデータ退避する事が可能になる。
【００１２】
ここで、画像表示用コンソールが画像データの受け取り中でなくとも、内部処理などで画像データの受け取り作業に対して著しく速度低下をもたらし、画像入力装置４，５から画像データを受け取る事が出来ない状況の時には、コントロールサーバ６に画像表示用コンソール１が現在転送不可であることを通知し、画像サーバ７に画像データを転送させても構わない。
【００１３】
また、連続して５０ＭＢ以上の画像データを転送する場合、画像表示用のコンソールの処理が遅くなるため、連続して大容量画像データを送信する場合は、２撮影以降の画像データをこの画像サーバ７に保存させても良い。
【００１４】
ここで画像表示用コンソール１〜３が画像データの取り込み可になると、コントロールサーバ６に対して取り込み可の情報を通知し、それを画像サーバ７が検知して、画像サーバ７から画像表示用コンソール１〜３に対して画像データを転送する。これによりこの放射線画像システムを使用するユーザーは、特に画像サーバ７を意識する事なく、放射線画像システムを運用する事ができる。この時に画像サーバ７から画像表示用コンソール１〜３に画像データを転送した後、画像サーバ７上に残っている画像データを消去する事が望ましい。但し保存させておいても構わない。
【００１５】
この実施の形態は、画像入力装置が複数台でも、画像サーバが一つの放射線画像システムであるが、次に画像入力装置が一つに対して、それに対応する画像サーバが一つ必ずある放射線画像システムの実施の形態を図２に示す。
【００１６】
図２は放射線画像システムの概略構成図である。この実施の形態の放射線画像システムは、複数の画像表示用コンソール１〜３と、画像入力装置４，５がネットワークで接続されるシステムにおいて、画像入力装置４，５で読み取った画像を、どの画像表示用コンソール１〜３に送信すればよいか、その行き先をコントロールするサーバ６を必ず用意する。
【００１７】
そのコントロールサーバ６は、データ−ベース（以下ＤＢ）で構築され、図３のように、各画像表示用コンソール１〜３、各画像入力装置４，５の“ｓｔａｔｕｓ”、”カセッテ登録情報“のテーブルを持ち、それぞれデータがそのテーブルに保存されている。
【００１８】
例えば、カセッテナンバーが「００１２３４５」のカセッテを、画像表示用コンソール１に登録した場合（登録方法は、バーコード入力や、ＩＣタグなどで無線送信など）、画像表示用コンソール１は得たカセッテナンバーをコントロールサーバ６の”画像表示用コンソール１“のテーブルに登録作業を行う（図３参照）。そして画像入力装置４に「００１２３４５」カセッテを投入すると、画像入力装置４でもカセッテナンバーを読取（画像表示用コンソールでナンバーを読んだのと同じ手段）、コントロールサーバ６の画像表示用コンソールの各テーブルに、該当するカセッテナンバーが無いかを検索する。
【００１９】
ここで図３では、「画像表示用コンソール１」に該当するカセッテナンバーが登録されているので、画像入力装置４は画像表示用コンソール１に、読み取った画像データを送信すればよい事を理解する。画像入力装置４は、画像表示用コンソール１のｓｔａｔｕｓを確認し、”１“の待機状態であった場合、読取動作を行い、逐次ネットワークを介して、画像データを画像表示用コンソール１に転送する。
【００２０】
次に、図４のフローチャートの動作説明を行う。ステップａ１において、画像入力装置にカセッテを投入し、カセッテナンバーを読取る。コントロールサーバに、カセッテナンバーをキーにして、検索を開始し、登録されている画像表示用コンソールを検索する（ステップａ２）。この検索で登録無しの場合は、ステップａ１へ移行し、登録ありの場合は、ステップａ４へ移行する（ステップａ３）。
【００２１】
ステップａ４において、登録されている画像表示用コンソールのＩＰアドレスを記憶し、登録されている画像表示用コンソールのｓｔａｔｕｓ確認を行なう。ステップａ５において、ｓｔａｔｕｓ＝“１”と比較して判断し、ｓｔａｔｕｓ＝“１”の読取ＯＫ状態の場合は、ステップａ６へ移行し、ｓｔａｔｕｓ＝“１”以外の読取注意状態の場合は、ステップａ８へ移行する。
【００２２】
ステップａ６において、画像読取動作を開始し、画像データの転送先は、画像表示用コンソールであり、読取が終了すると、ステップａ１へ移行する（ステップａ７）。
【００２３】
ステップａ８において、画像読取動作を開始し、画像データの転送先は、画像サーバであり、読取が終了すると（ステップａ９）、画像サーバから、コントロールサーバの、送信すべき画像表示用コンソールのｓｔａｔｕｓをチェックする（ステップａ１０）。
【００２４】
このｓｔａｔｕｓチェックは、ｓｔａｔｕｓ＝“１”と比較して判断し（ステップａ１１）、ｓｔａｔｕｓ＝“１”の読取ＯＫ状態の場合は、ステップａ１２へ移行し、ｓｔａｔｕｓ＝“１”以外の読取注意状態の場合は、ステップａ１０へ移行する。
【００２５】
ステップａ１２において、画像サーバから該当画像表示用コンソールに画像データを転送し、読取が終了とステップａ１へ移行する（ステップａ１３）。
【００２６】
この実施雄形態の放射線画像システムでは、更に別なカセッテ、「７７５４３２１」を画像表示用コンソール１に登録する。そして画像入力装置４がまだ画像読み取り中に、画像入力装置５に「７７５４３２１」カセッテを投入すると、画像入力装置５はコントロールサーバ６のＤＢ検索を行い、転送先が画像表示用コンソール１で、尚且つｓｔａｔｕｓが“２”の読み取り中である事を理解する。  ここで画像入力装置５は読取動作を行うが、２枚同時に画像表示用コンソールに転送を行うと、ネットワークの負荷が大きい事や、コンソールの方で画像処理などの処理が重なり、画像転送が遅くなってしまう恐れがあり、画像入力装置がデータをバッファできない構造の場合、読取速度より画像データの転送速度が遅くなると、画像データの送信に欠落が生じ、画像喪失となってしまう。よってｓｔａｔｕｓが“２”である事を理解した時、画像サーバ、ここでは画像サーバ８に一旦画像データを退避する動作を行う。画像入力装置５から画像サーバ８に画像データを転送する。
【００２７】
画像サーバ８に読み取った画像データ全て転送後、画像サーバ８がコントロールサーバ６の該当カセッテナンバーの送信先の画像表示用コンソールのｓｔａｔｕｓをチェックし、ｓｔａｔｕｓが“１”に切り替わったところで、画像サーバ８から、画像表示用コンソール１に対して、画像データを転送する。これにより一般のユーザーは、特に画像退避サーバやその機能など意識せずに、かつ画像入力装置に画像データを一時退避するバッファが無い場合でも、画像喪失する事なく確実に画像データを転送する事ができるシステムを構築する事が可能である。  また、図５のように、画像入力装置のデータ一時退避のバッファは、例えば５０ＭＢまで持っているなど、あるコストパフォーマンスにあった一定量持たせても良い。その場合に現在持つ最大値、ここでは５０ＭＢまでは特に画像サーバ７にデータ送信する機能は働かせず、５０ＭＢを超えて、画像喪失する可能性のある画像サイズを画像表示用コンソールに送信する場合に、この画像サーバ７にデータ退避する仕組みを設けても良い。
【００２８】
図５では、更に同一画像入力装置が連続して５０ＭＢを超える画像データを転送する場合には、ｓｔａｔｕｓ情報を見ずに自動的に画像サーバ７にデータ転送する形式が記載されている。
【００２９】
以上の構成をとることによって、画像入力装置に一旦画像を退避するバッファが無い、もしくは十分に存在しない場合でも、画像サーバを設ける事で全体の仕組みとして問題なく機能させる事ができる。
【産業上の利用可能性】
【００３０】
この発明は、主に医療分野で使用される放射線画像情報を入力するための画像入力装置及び画像表示部を持つ放射線画像システム等に適用できる。
【図面の簡単な説明】
【００３１】
【図１】放射線画像システムの概略構成図である。
【図２】放射線画像システムの概略構成図である。
【図３】画像表示用コンソール、画像入力装置のｓｔａｔｕｓを示す図である。
【図４】放射線画像システムのフローチャートを示す図である。
【図５】放射線画像システムのフローチャートを示す図である。
【符号の説明】
【００３２】
１〜３  画像表示用コンソール
４，５  画像入力装置
６  コントロールサーバ
【図１】
2005103025.tif 000003
【図２】
2005103025.tif 000004
【図３】
2005103025.tif 000005
【図４】
2005103025.tif 000006
【図５】
2005103025.tif 000007